(57)【要約】【課題】監視領域の異常を正確に判定する管理システムを提供する。【解決手段】監視領域ＥａおよびＥｂに対応して配置され、監視領域ＥａおよびＥｂで発生した音である領域音を検出する音検出部４と、監視領域に対応した暗騒音の音情報を記憶する記憶部１０と、領域音の音情報を、記憶部に記憶された監視領域ＥａおよびＥｂに対応した暗騒音の音情報と比較し、監視領域ＥａおよびＥｂの領域音が監視領域ＥａおよびＥｂに対応した暗騒音と異なる異常騒音を含む場合に監視領域ＥａおよびＥｂに異常が生じていると判定する異常判定部９と、監視領域ＥａおよびＥｂの異常を報知する報知部３と、異常判定部９において監視領域ＥａおよびＥｂに異常が生じていると判定された場合に監視領域ＥａおよびＥｂの異常を報知するように報知部３を制御する制御部１１とを備える。【選択図】図２
2019139302.tif 000002
【特許請求の範囲】
【請求項１】
監視領域に対応して配置され、前記監視領域で発生した音である領域音を検出する音検出部と、
前記領域音を検出した前記音検出部から出力される音信号に基づいて前記領域音の音情報を算出する音情報算出部と、
前記監視領域に対応した暗騒音の音情報を記憶する記憶部と、
前記音情報算出部で算出された前記領域音の音情報を、前記記憶部に記憶された前記監視領域に対応した前記暗騒音の音情報と比較し、前記監視領域の前記領域音が前記監視領域に対応した前記暗騒音と異なる異常騒音を含む場合に前記監視領域に異常が生じていると判定する異常判定部と、
前記監視領域の異常を報知する報知部と、
前記異常判定部において前記監視領域に異常が生じていると判定された場合に前記監視領域の異常を報知するように前記報知部を制御する制御部とを備えることを特徴とする管理システム。
【請求項２】
前記記憶部は、異常騒音の音情報を記憶し、
前記異常判定部は、前記音情報算出部で算出された前記領域音の音情報を、前記記憶部に記憶された前記異常騒音の音情報とさらに比較する請求項１に記載の管理システム。
【請求項３】
前記記憶部は、前記暗騒音の周波数帯を音情報として記憶する請求項１または２に記載の管理システム。
【請求項４】
前記記憶部は、前記監視領域において前記異常騒音を発生する特定作業を実施する予定を登録した作業予定情報を記憶し、
前記異常判定部は、前記監視領域の領域音が前記異常騒音を含み且つ前記記憶部に記憶された前記作業予定情報に前記監視領域で前記特定作業を実施する予定が登録されていない場合に、前記監視領域に異常が生じていると判定する請求項１〜３のいずれか一項に記載の管理システム。
【請求項５】
前記音検出部は、前記監視領域で発生する前記暗騒音を所定期間検出し、
前記音情報算出部は、前記音検出部で検出された音信号に基づいて所定期間の暗騒音の音情報を算出し、
前記記憶部は、前記音情報算出部で算出された前記所定期間の暗騒音の音情報を前記監視領域に対応した前記暗騒音の音情報として記憶する請求項１〜４のいずれか一項に記載の管理システム。
【請求項６】
前記監視領域に対応して配置され、前記監視領域を撮像する撮像部をさらに備え、
前記報知部は、前記撮像部で撮像された前記監視領域の画像を表示する画像表示部を有し、
前記制御部は、前記異常判定部において前記監視領域に異常が生じていると判定された場合に、前記画像表示部に前記監視領域の画像を表示させる請求項１〜５のいずれか一項に記載の管理システム。
【請求項７】
前記監視領域に対応して配置され、前記監視領域におけるガス漏れを検出するガス検出部をさらに備え、
前記制御部は、前記ガス検出部でガス漏れが検出された場合には前記報知部により前記監視領域の異常を報知する請求項１〜６のいずれか一項に記載の管理システム。
【発明の詳細な説明】
【技術分野】
【０００１】
この発明は、管理システムに係り、特に、監視領域で発生した音（以下領域音）が異常騒音を含む場合に監視領域の異常を報知する管理システムに関する。
【背景技術】
【０００２】
従来から、いわゆるライフラインを構成する配管のうち高圧ガス輸送幹線は、幹線道路の直下に埋設されていることが多く、ガス供給会社では、高圧ガス輸送幹線の安全を維持するために幹線道路を定期的に巡回パトロールしている。
また、高圧ガス輸送幹線の近辺でガス供給会社以外の会社が工事、例えば上下水道管工事および電気配線工事などをする場合には、その工事を行う会社がガス供給会社に工事を行う旨を予め連絡し、ガス供給会社の社員等が立ち会って安全に工事が行われる。
【０００３】
しかしながら、ガス供給会社以外の会社が工事を行うことをガス供給会社に連絡しないことがあり、ガス供給会社の管理なく工事が行われることによって高圧ガス輸送幹線が損傷されるおそれがあった。このような問題は、巡回パトロールの回数を増やすことによって、ある程度は解消することができるが、巡回パトロールに多くの人員を確保しなければならず、巡回パトロールの負担が増大するといった問題が生じる。
【０００４】
そこで、巡回パトロールの負担を軽減する技術として、例えば、特許文献１には、監視カメラおよびマイクロフォンにより監視領域を監視するカメラ監視システムが提案されている。このカメラ監視システムは、監視領域に設置されたマイクロフォンによって異常音が検知されると、監視領域に異常事態が発生していると判断して、監視領域に設置されたカメラにより撮像された「画像」を表示するとともに、マイクロフォンにより集音された「異常音」を出力するようにしたものである。このようにして、遠方から幹線道路を監視することにより、巡回パトロールの負担を軽減することができる。
【先行技術文献】
【特許文献】
【０００５】
【特許文献１】特開平０３−０７６４９０号公報
【発明の概要】
【発明が解決しようとする課題】
【０００６】
しかしながら、特許文献１のカメラ監視システムでは、マイクロフォンで所定の基準値レベル以上の音が検知されただけで異常音と判定し、監視領域の環境に応じた音の変化が考慮されていないため、監視領域における異常の有無を正確に判定することができなかった。
【０００７】
例えば、音圧レベルが低下しにくい監視領域、例えばビルなどの障害物が少ない監視領域にマイクロフォンが設置された場合に、暗騒音の音圧レベルが高くなり、監視領域に異常事態が生じていないにもかかわらず、異常音と判定されるおそれがあった。この場合には、監視領域に異常事態が生じている旨の報知がおこなわれるが、この報知は誤報であるため、管理者は、カメラ画像をみても監視領域の異常を確認することができない。このため、管理者は、異常を確認するために監視領域に出向かなければならず、無駄な労力を割くことになる。
【０００８】
一方、音圧レベルが低下しやすい監視領域、例えばビルなどの障害物が多い監視領域にマイクロフォンが設置された場合、監視領域に異常事態が生じているにもかかわらず、異常音が基準値レベルより小さな音圧レベルで検出されて、異常音が生じていないと判定されるおそれがある。この場合には、監視領域に異常事態が生じている旨の報知がおこなわれないため、管理者が監視領域の異常に気付くことができず、被害が増大するといった問題が生じる。
【０００９】
この発明は、このような従来の問題点を解消するためになされたもので、監視領域の異常を正確に判定する管理システムを提供することを目的とする。
【課題を解決するための手段】
【００１０】
この発明に係る管理システムは、監視領域に対応して配置され、監視領域で発生した音である領域音を検出する音検出部と、領域音を検出した音検出部から出力される音信号に基づいて領域音の音情報を算出する音情報算出部と、監視領域に対応した暗騒音の音情報を記憶する記憶部と、音情報算出部で算出された領域音の音情報を、記憶部に記憶された監視領域に対応した暗騒音の音情報と比較し、監視領域の領域音が監視領域に対応した暗騒音と異なる異常騒音を含む場合に監視領域に異常が生じていると判定する異常判定部と、監視領域の異常を報知する報知部と、異常判定部において監視領域に異常が生じていると判定された場合に監視領域の異常を報知するように報知部を制御する制御部とを備えるものである。
【００１１】
ここで、記憶部は、異常騒音の音情報を記憶し、異常判定部は、音情報算出部で算出された領域音の音情報を、記憶部に記憶された異常騒音の音情報とさらに比較することが好ましい。
【００１２】
また、記憶部は、暗騒音の周波数帯を音情報として記憶することができる。
【００１３】
また、記憶部は、監視領域において異常騒音を発生する特定作業を実施する予定を登録した作業予定情報を記憶し、異常判定部は、監視領域の領域音が異常騒音を含み且つ記憶部に記憶された作業予定情報に監視領域で特定作業を実施する予定が登録されていない場合に、監視領域に異常が生じていると判定することができる。
【００１４】
また、音検出部は、監視領域で発生する暗騒音を所定期間検出し、音情報算出部は、音検出部で検出された音信号に基づいて所定期間の暗騒音の音情報を算出し、記憶部は、音情報算出部で算出された所定期間の暗騒音の音情報を監視領域に対応した暗騒音の音情報として記憶することが好ましい。
【００１５】
また、監視領域に対応して配置され、監視領域を撮像する撮像部をさらに備え、報知部は、撮像部で撮像された監視領域の画像を表示する画像表示部を有し、制御部は、異常判定部において監視領域に異常が生じていると判定された場合に、画像表示部に監視領域の画像を表示させることが好ましい。
【００１６】
また、監視領域に対応して配置され、監視領域におけるガス漏れを検出するガス検出部をさらに備え、制御部は、ガス検出部でガス漏れが検出された場合には報知部により監視領域の異常を報知することができる。
【発明の効果】
【００１７】
この発明によれば、異常判定部が、音検出部で検出された領域音の音情報を、記憶部に記憶された監視領域に対応した暗騒音の音情報と比較し、監視領域の領域音が監視領域に対応した暗騒音と異なる異常騒音を含む場合に監視領域に異常が生じていると判定するので、監視領域の異常を正確に判定する管理システムを提供することが可能となる。
【図面の簡単な説明】
【００１８】
【図１】この発明の実施の形態１に係る管理システムの構成を示す図である。
【図２】管理システムの構成を示すブロック図である。
【図３】監視領域に対応した暗騒音の波形データを示す図である。
【図４】音検出部で検出される領域音の波形データを示す図である。
【図５】実施の形態２に係る管理システムの要部を示すブロック図である。
【発明を実施するための形態】
【００１９】
以下、この発明の実施の形態を添付図面に基づいて説明する。
実施の形態１
図１に、この発明の実施の形態１に係る管理システムの構成を示す。この管理システムは、複数の監視部１ａおよび１ｂと、管理部２と、報知部３とを有する。
【００２０】
複数の監視部１ａおよび１ｂは、複数の監視領域ＥａおよびＥｂにそれぞれ対応して配置され、監視領域ＥａおよびＥｂで発生する領域音をそれぞれ検出すると共に監視領域ＥａおよびＥｂをそれぞれ撮像することにより監視領域ＥａおよびＥｂを監視するものである。監視領域ＥａおよびＥｂとしては、例えば、高圧ガスを輸送するための配管が埋設された幹線道路Ｒなどが挙げられる。監視部１ａおよび１ｂは、監視領域ＥａおよびＥｂを上方から監視できるように、例えば幹線道路Ｒの側部に設けられた支柱に取り付けることができる。
【００２１】
管理部２は、監視部１ａおよび１ｂとの間で無線通信して監視領域ＥａおよびＥｂを管理するもので、監視部１ａおよび１ｂで検出された領域音および撮像された領域画像に基づいて、監視領域ＥａおよびＥｂにおいて上下水道管工事および電気配線工事などの工事が実施されているか否かを判定する。
【００２２】
報知部３は、管理部２との間で無線通信して、管理部２において工事が実施されていると判定された場合に、幹線道路Ｒを巡回パトロールする管理者Ｐに監視領域ＥａおよびＥｂの異常を報知するものである。報知部３は、例えば携帯電話などから構成することができる。
【００２３】
次に、監視部１ａおよび１ｂ、管理部２および報知部３の構成について詳細に説明する。
図２に示すように、監視部１ａは、音検出部４および撮像部５を有し、この音検出部４および撮像部５が無線通信部６ａにそれぞれ接続されている。
【００２４】
音検出部４は、監視領域Ｅａに対応して配置され、監視領域Ｅａで発生する領域音を検出して領域音に応じた音信号を出力するものである。音検出部４は、例えば、マイクロフォンなどから構成することができる。
【００２５】
撮像部５は、監視領域Ｅａに対応して配置され、監視領域Ｅａを撮像して画像信号を出力するものである。撮像部５は、例えば、カメラなどから構成することができる。
【００２６】
無線通信部６ａは、音検出部４から出力された音信号と、撮像部５から出力された画像信号とを無線通信により管理部２に送信する。
なお、図示しない監視部１ｂは、監視部１ａと同様の構成を有するため説明を省略する。
【００２７】
管理部２は、無線通信部６ｂを有し、この無線通信部６ｂに音情報算出部７と画像処理部８がそれぞれ接続されている。また、音情報算出部７と画像処理部８は、異常判定部９を介して無線通信部６ｃに接続されている。また、異常判定部９には、記憶部１０が接続されている。さらに、無線通信部６ｂ、音情報算出部７、画像処理部８、異常判定部９および無線通信部６ｃに制御部１１が接続され、この制御部１１に格納部１２および操作部１３がそれぞれ接続されている。
【００２８】
無線通信部６ｂは、監視部１ａおよび１ｂの無線通信部６ａとの間で無線通信して、監視部１ａおよび１ｂの音検出部４から出力される音信号および監視部１ａおよび１ｂの撮像部５から出力される画像信号を受信し、音信号を音情報算出部７に出力すると共に画像信号を画像処理部８に出力する。
【００２９】
音情報算出部７は、無線通信部６ｂから出力される音信号に基づいて領域音の音情報を算出する。例えば、音情報算出部７は、音信号に基づいて領域音の波形データを求めて、その波形データに基づいて領域音の周波数、音圧および波形を領域音の音情報として算出することができる。
画像処理部８は、無線通信部６ｂから出力される画像信号に画像処理を施して領域画像を生成する。
【００３０】
記憶部１０は、異常騒音の音情報と、複数の監視領域ＥａおよびＥｂに対応した複数の暗騒音の音情報とを記憶する。ここで、異常騒音は、上下水道管工事および電気配線工事などの工事から生じる工事騒音であり、例えば舗装カッターおよび油圧ブレーカーなどの工事機械から生じる騒音が挙げられる。また、暗騒音は、異常騒音以外の騒音であり、例えば自動車の騒音など監視領域ＥａおよびＥｂにおいて日常的に発生する騒音が挙げられる。また、暗騒音には、緊急車両および踏切の警笛などの突発的な騒音も含まれる。
【００３１】
ここで、記憶部１０には、複数の監視領域ＥａおよびＥｂに対応した複数の暗騒音の音情報が記憶されている。このため、記憶部１０には、監視領域ＥａおよびＥｂごとに異なる暗騒音の音情報が記憶されることになる。例えば、記憶部１０は、監視部１ａおよび１ｂの音検出部４により監視領域ＥａおよびＥｂにおける暗騒音をそれぞれ所定期間検出し、その暗騒音の音情報をそれぞれ平均化したものを監視領域ＥａおよびＥｂに対応した暗騒音の音情報として記憶することができる。
なお、記憶部１０に記憶された異常騒音の音情報は、監視領域ＥａおよびＥｂに対応したものではなく、異常騒音として標準的な１つの基準値を設定したものである。
【００３２】
異常判定部９は、音情報算出部７で算出された領域音の音情報を、記憶部１０に記憶された監視領域ＥａおよびＥｂに対応する複数の暗騒音の音情報と比較し、特定の監視領域Ｅａの領域音が特定の監視領域Ｅａに対応した暗騒音と異なる異常騒音を含む場合に監視領域Ｅａに異常が生じていると判定する。
【００３３】
制御部１１は、異常判定部９において監視領域Ｅａに異常が生じていると判定された場合に、無線通信部６ｃを介して制御信号を報知部３に送信して、監視領域Ｅａの異常を報知するように報知部３を制御する。また、制御部１１は、画像処理部８で生成された監視領域Ｅａの領域画像を報知部３に出力する。
無線通信部６ｃは、制御部１１から出力される制御信号および画像信号を無線通信により報知部３に送信する。
【００３４】
格納部１２は、動作プログラム等を格納するもので、ハードディスク、フレキシブルディスク、ＭＯ、ＭＴ、ＲＡＭ、ＣＤ−ＲＯＭ、ＤＶＤ−ＲＯＭ等の記録媒体を用いることができる。
操作部１３は、管理者Ｐが入力操作を行うためのもので、キーボード、マウス、トラックボール、タッチパネル等から構成することができる。
なお、音情報算出部７、画像処理部８、異常判定部９および制御部１１は、ＣＰＵと、ＣＰＵに各種の処理を行わせるための動作プログラムから構成されるが、それらをデジタル回路で構成してもよい。
【００３５】
報知部３は、管理者Ｐに対して監視領域ＥａおよびＥｂの異常を報知するもので、無線通信部６ｄを有し、この無線通信部６ｄに画像表示部１４および警告音出力部１５がそれぞれ接続されている。
【００３６】
無線通信部６ｄは、管理部２の無線通信部６ｃとの間で無線通信し、無線通信部６ｃから制御信号および画像信号を受信して、画像信号を画像表示部１４に出力すると共に制御信号を警告音出力部１５に出力する。
【００３７】
画像表示部１４は、液晶ディスプレイなどから構成され、無線通信部６ｃから出力された領域画像を表示する。
【００３８】
警告音出力部１５は、スピーカーなどから構成され、無線通信部６ｃから出力された制御信号に基づいて警告音を出力する。
【００３９】
次に、この実施の形態の動作について説明する。
まず、図１に示すように、高圧ガスを輸送する配管が埋設された幹線道路Ｒに監視領域ＥａおよびＥｂが設定され、その監視領域ＥａおよびＥｂ近傍に配置された監視部１ａおよび１ｂにより監視領域ＥａおよびＥｂが監視されると共に報知部３を携帯した管理者Ｐが幹線道路Ｒを巡回パトロールする。
【００４０】
監視領域ＥａおよびＥｂで発生した領域音は、図２に示すように、監視部１ａおよび１ｂの音検出部４でそれぞれ検出され、領域音に応じた音信号が音検出部４から無線通信部６ａおよび６ｂを介して管理部２の音情報算出部７に出力される。また、監視部１ａおよび１ｂの撮像部５が監視領域ＥａおよびＥｂをそれぞれ撮像し、その画像信号が撮像部５から無線通信部６ａおよび６ｂを介して管理部２の画像処理部８に出力される。
【００４１】
音検出部４から音信号を入力した音情報算出部７は、音信号に基づいて監視領域ＥａおよびＥｂの領域音の波形データをそれぞれ求め、その波形データに含まれる音情報、例えば周波数帯および音圧レベルを算出する。また、撮像部５から画像信号を入力した画像処理部８は、画像信号に画像処理を施して監視領域ＥａおよびＥｂの領域画像を生成する。このようにして、音情報算出部７で算出された領域音の音情報および画像処理部８で生成された領域画像は、それぞれ異常判定部９に出力される。
【００４２】
音情報算出部７から異常判定部９に領域音の音情報が入力されると、異常判定部９は、領域音の音情報を記憶部１０に記憶された暗騒音の音情報および工事騒音の音情報と比較する。
【００４３】
ここで、領域音の音情報である周波数帯および音圧レベルは、監視領域ＥａおよびＥｂの環境、例えば建物の配置および道路の幅などに応じて変化するものである。このため、記憶部１０に記憶された暗騒音の周波数帯および音圧レベルを監視領域ＥａおよびＥｂにおいて標準的な１つの基準値として設定すると、領域音に含まれる工事騒音を記憶部１０に記憶された暗騒音と識別できないおそれがある。例えば、領域音に含まれる工事騒音の周波数帯および音圧レベルが監視領域ＥａおよびＥｂの環境に応じて大きく低下する場合に、工事騒音が記憶部１０に記憶された暗騒音とほぼ同じ周波数帯および音圧レベルとなり、工事騒音を暗騒音と識別できなくなる。特に、監視領域Ｅａのように交通量の多い幹線道路Ｒは、監視領域Ｅｂのように交通量が少ない道路と比較して、領域音に含まれる暗騒音の音圧レベルが大きくなるため、工事騒音を暗騒音と識別することがさらに困難となる。
【００４４】
そこで、本発明においては、複数の監視領域ＥａおよびＥｂに対応した複数の暗騒音の周波数帯および音圧レベルを記憶部１０に記憶する。例えば、監視領域ＥａおよびＥｂの暗騒音が音検出部４により所定期間、例えば１か月間検出され、音情報算出部７が音検出部４で検出された音信号に基づいて所定期間の暗騒音の音情報を算出する。具体的には、音情報算出部７は、図３に示すように、音信号に基づいて所定期間の暗騒音Ｓ１の波形データを求め、その波形データから暗騒音Ｓ１の音情報を算出する。そして、算出された暗騒音Ｓ１の音情報を監視領域ＥａおよびＥｂにそれぞれ対応した暗騒音の音情報として記憶部１０に記憶する。
【００４５】
この時、所定期間の暗騒音Ｓ１の波形データから波形のパターンなどに基づいて種類の異なる暗騒音の音情報、例えば日常的な暗騒音の音情報、緊急車両の暗騒音Ｓ１ａの音情報および踏切の暗騒音の音情報などを算出して記憶部１０に記憶することが好ましい。さらに、記憶部１０に記憶される暗騒音Ｓ１の音情報は、定期的に更新して学習機能を持たせることもできる。
【００４６】
このようにして、監視領域ＥａおよびＥｂに対応した暗騒音の音情報が記憶部１０に記憶されることにより、異常判定部９は、音検出部４で検出される領域音の音情報と記憶部１０に記憶された暗騒音Ｓ１の音情報を同じ基準で比較することができる。例えば、異常判定部９は、記憶部１０に記憶された暗騒音Ｓ１の音圧レベルに閾値Ｈを設定する。そして、図４に示すように、音検出部４により検出された領域音の音圧レベルを閾値Ｈと比較して、特定の周波数帯において音圧レベルが閾値Ｈを超えるか否かを算出する。異常判定部９は、例えば監視領域Ｅａの領域音について音圧レベルが閾値Ｈを超えた場合には、監視領域Ｅａの領域音に暗騒音Ｓ１と異なる工事騒音Ｓ２が含まれるとし、監視領域Ｅａに異常が生じていると判定する。
【００４７】
このように、音検出部４で検出される領域音を監視領域ＥａおよびＥｂに対応した暗騒音Ｓ１と比較することで、領域音に含まれる工事騒音Ｓ２を暗騒音Ｓ１と高精度に識別することができ、監視領域ＥａおよびＥｂに異常が生じているか否かを正確に判定することができる。この時、異常判定部９は、音検出部４で検出される領域音の音情報を種類の異なる暗騒音、例えば日常的な暗騒音、緊急車両の暗騒音Ｓ１ａおよび踏切の暗騒音などの音情報と比較することで、領域音に含まれる暗騒音Ｓ１と工事騒音Ｓ２をより高精度に識別することができる。
【００４８】
また、異常判定部９は、領域音の音情報を記憶部１０に記憶された工事騒音Ｓ２の音情報とも比較することで、領域音に含まれる暗騒音Ｓ１と工事騒音Ｓ２をさらに高精度に識別することができる。特に、道路を切断する舗装カッターの騒音Ｓ２ａおよび道路を破砕する油圧ブレーカーの騒音は、特徴的な音情報を有するため、監視領域ＥａおよびＥｂの領域音を舗装カッターの騒音Ｓ２ａの音情報および油圧ブレーカーの騒音の音情報と比較することが好ましい。このように、異常判定部９が、領域音の音情報を暗騒音Ｓ１の音情報および工事騒音Ｓ２の音情報の両者と比較することで、領域音に含まれる暗騒音Ｓ１と工事騒音Ｓ２を高精度に識別することができる。
【００４９】
そして、異常判定部９が監視領域Ｅａにおいて異常が生じていると判定すると、制御部１１が、無線通信部６ｃおよび６ｄを介して制御信号と共に画像処理部８で生成された監視領域Ｅａの領域画像を出力し、監視領域Ｅａの領域画像を画像表示部１４に表示させると共に監視領域Ｅａの異常を知らせる警告音を警告音出力部１５から出力させる。
【００５０】
これにより、報知部３を携帯する管理者Ｐに監視領域Ｅａの異常を正確に報知することができる。また、警告音の出力と同時に、画像表示部１４には監視領域Ｅａの領域画像が表示される。このため、管理者Ｐは監視領域Ｅａの様子を視認することができ、監視領域Ｅａにおいて異常事態が発生しているか否かを確実に把握することができる。これにより、例えば監視領域Ｅａの領域画像において工事する様子が確認された場合には管理者Ｐが監視領域Ｅａに出向くなど、監視領域Ｅａの異常の報知に対して適切な行動をとることができる。
なお、制御部１１は、画像表示部１４に表示させた領域画像を記憶部１０に保存することもでき、例えば、管理者Ｐがすぐに領域画像を確認できない場合には時間をおいて再度画像表示部１４に領域画像を表示させることができる。また、報知部３とは別の新たな報知部を管理部２に配置することもでき、この報知部により管理部２の周辺の管理者Ｐに対して監視領域Ｅａの異常を報知することができる。
【００５１】
一方、異常判定部９が、監視領域ＥａおよびＥｂの領域音において工事騒音Ｓ２を認識せず、監視領域ＥａおよびＥｂに異常が生じていないと判定した場合には、制御部１１から制御信号は出力されず、報知部３から監視領域ＥａおよびＥｂの異常は報知されないことになる。
【００５２】
本実施の形態によれば、異常判定部９が、複数の音検出部４で検出された領域音の音情報を複数の監視領域ＥａおよびＥｂに対応した複数の暗騒音Ｓ１の音情報と比較し、監視領域Ｅａの領域音に工事騒音Ｓ２が含まれる場合に監視領域Ｅａに異常が生じていると判定するため、監視領域Ｅａの異常を正確に判定して報知することができる。
【００５３】
実施の形態２
実施の形態１において、記憶部１０は、監視領域ＥａおよびＥｂにおいて工事騒音Ｓ２を発生する工事を実施する予定を登録した作業予定情報をさらに記憶することが好ましい。ここで、工事騒音Ｓ２を発生する工事は、本発明における特定作業を示す。
【００５４】
実施の形態１と同様に、異常判定部９が、音検出部４で検出された領域音の音情報を、記憶部１０に記憶された暗騒音Ｓ１の音情報および工事騒音Ｓ２の音情報と比較し、監視領域ＥａおよびＥｂの領域音に含まれる暗騒音Ｓ１と工事騒音Ｓ２を識別する。異常判定部９は、監視領域Ｅａの領域音に工事騒音Ｓ２が含まれる場合には、記憶部１０に記憶された作業予定情報を参照し、作業予定情報に監視領域Ｅａで工事騒音Ｓ２を発生する工事を実施する予定が登録されているか否かを判定する。
【００５５】
ここで、監視領域Ｅａで工事を実施する予定が登録されていない場合には、異常判定部９は、監視領域Ｅａにおいて未登録の工事が実施されているとし、監視領域Ｅａに異常が生じていると判定する。そして、制御部１１が、無線通信部６ｃおよび６ｄを介して制御信号を出力して、報知部３により監視領域Ｅａの異常を報知させる。一方、監視領域Ｅａで工事を実施する予定が登録されている場合には、異常判定部９は、監視領域Ｅａにおいて登録された工事が実施されているとし、監視領域Ｅａに異常が生じていないと判定する。この場合には、制御部１１から制御信号は出力されず、報知部３から監視領域Ｅａの異常は報知されないことになる。
【００５６】
本実施の形態によれば、異常判定部９が、監視領域Ｅａの領域音が工事騒音Ｓ２を含み且つ監視領域Ｅａで工事騒音Ｓ２を発生する工事の予定が作業予定情報に登録されていない場合に監視領域Ｅａに異常が生じていると判定するため、作業予定情報に登録された工事、すなわち管理者Ｐが管理する工事に対して異常の報知は行われず、監視領域Ｅａの異常をより正確に報知することができる。
【００５７】
実施の形態３
実施の形態１および２において、複数の監視部１ａおよび１ｂは、複数の監視領域ＥａおよびＥｂにそれぞれ対応して配置されて監視領域ＥａおよびＥｂにおけるガス漏れを検出する複数のガス検出部をさらに有することが好ましい。
【００５８】
例えば、図５に示すように、実施の形態１において監視部１ａの無線通信部６ａにガス検出部３１を新たに接続すると共に無線通信部６ｂおよび異常判定部９にガス測定部３２を新たに接続することができる。
【００５９】
ガス検出部３１は、ガスを検出するための光を監視領域Ｅａに出力すると共に監視領域Ｅａで反射された反射光を受光するもので、例えば赤外線カメラから構成することができる。ガス検出部３１は、無線通信部６ａおよび６ｂを介して、反射光に応じた信号をガス測定部３２に出力する。
【００６０】
ガス測定部３２は、反射光に応じた検出信号に基づいて監視領域Ｅａにおけるガスの濃度を測定し、ガスの濃度が所定の値より高い場合には監視領域Ｅａにおいてガス漏れが生じていると判定する。
【００６１】
制御部１１は、ガス測定部３２においてガス漏れが生じていると判定された場合には報知部３により監視領域Ｅａにおいてガス漏れが生じていることを報知させる。
なお、図示しない監視部１ｂは、監視部１ａと同様の構成を有するため説明を省略する。
【００６２】
本実施の形態によれば、ガス検出部３１が監視領域ＥａおよびＥｂにおいてガス漏れを検出した場合には報知部３によりガス漏れの発生を報知するため、監視領域ＥａおよびＥｂにおける異常の程度を報知することができる。
【００６３】
なお、実施の形態３において、異常判定部９は、監視領域Ｅａの領域音に工事騒音Ｓ２が含まれると判定した場合に、ガス検出部３１によりガスの検出を行ってもよい。ガス検出部３１で検出された検出信号に基づいてガス測定部３２がガス漏れの発生を判定し、ガス漏れが生じていないと判定された場合には、制御部１１は報知部３により緊急性が低い異常が発生していることを報知する。一方、ガス測定部３２によりガス漏れが生じていると判定された場合には、制御部１１は報知部３により緊急性が高い異常が発生していることを報知する。
このように、監視領域ＥａおよびＥｂにおける異常の程度を段階的に報知することにより、管理者Ｐが監視領域ＥａおよびＥｂの異常事態に適切に対応することができる。
【００６４】
なお、上記の実施の形態１〜３では、記憶部１０に記憶された異常騒音は、工事騒音Ｓ２に設定されたが、管理者Ｐが予め定めた特定の騒音であればよく、工事騒音Ｓ２に限られるものではない。例えば、異常騒音は、自動車事故および火事などの事故騒音に定めることもできる。
【００６５】
また、上記の実施の形態１〜３では、記憶部１０は、音検出部４で検出された所定期間の暗騒音の音情報を記憶したが、複数の監視領域ＥａおよびＥｂに対応した複数の暗騒音の音情報を記憶すればよく、所定期間の暗騒音の音情報に限られるものではない。例えば、記憶部１０は、監視領域ＥａおよびＥｂの環境、具体的には建物の配置および道路の幅などに基づいて監視領域ＥａおよびＥｂにおける暗騒音の音情報の変化量を求め、その変化量に応じた暗騒音の音情報を算出して記憶することができる。ただし、記憶部１０は、領域音に含まれる暗騒音との誤差が少ないため、音検出部４で検出された暗騒音の音情報を記憶することが好ましい。
【００６６】
また、上記の実施の形態１〜３では、記憶部１０は、複数の監視領域ＥａおよびＥｂに対応した複数の暗騒音の音情報が記憶されたが、複数の監視領域ＥａおよびＥｂに対応した複数の異常騒音の音情報を記憶することもできる。監視領域ＥａおよびＥｂに対応した異常騒音の音情報は、暗騒音の音情報と同様に、例えば音検出部４により異常騒音を測定したものを用いることができる。これにより、監視領域ＥａおよびＥｂの環境に応じた異常騒音の変化に対応して判定することができ、領域音に異常騒音が含まれるか否かをより正確に判定することができる。
【００６７】
また、上記の実施の形態１〜３において、記憶部１０は、音検出部４により所定期間検出された監視領域ＥａおよびＥｂの暗騒音Ｓ１に基づいて暗騒音Ｓ１の継時的な変化を求め、その暗騒音Ｓ１の変化に基づいて算出される複数の時間帯における暗騒音Ｓ１の音情報を記憶することができる。例えば、記憶部１０は、午前の監視領域ＥａおよびＥｂに対応した暗騒音の音情報と、午後の監視領域ＥａおよびＥｂに対応した暗騒音の音情報とを記憶することができる。そして、異常判定部９が、音検出部４で領域音を検出した時刻に基づいて記憶部１０を参照し、その時刻おける暗騒音の音情報に基づいて監視領域ＥａおよびＥｂの領域音に含まれる暗騒音と異常騒音を識別する。これにより、異常判定部９は、時間帯に伴う監視領域ＥａおよびＥｂの暗騒音の変化を考慮して異常騒音を識別することができ、監視領域Ｅの異常をより正確に判定することができる。
【００６８】
また、上記の実施の形態１〜３では、複数の監視部１ａおよび１ｂが複数の監視領域ＥａおよびＥｂにそれぞれ対応して配置されたが、１つの監視部を１つの監視領域に対応して配置することもできる。例えば、実施の形態１において監視部１ｂを除き、監視部１ａのみを配置することができる。これにより、監視部１ａの音検出部４が監視領域Ｅａで発生する領域音を検出し、異常判定部９が音検出部４で検出された領域音の音情報に基づいて監視領域Ｅａに異常が生じているか否かを判定することができる。
【符号の説明】
【００６９】
１ａ，１ｂ  監視部
２  管理部
３  報知部
４  音検出部
５  撮像部
６ａ，６ｂ，６ｃ，６ｄ  無線通信部
７  音情報算出部
８  画像処理部
９  異常判定部
１０  記憶部
１１  制御部
１２  格納部
１３  操作部
１４  画像表示部
１５  警告音出力部
３１  ガス検出部
３２  ガス測定部
Ｅａ，Ｅｂ  監視領域
Ｒ  幹線道路
Ｐ  管理者
Ｓ１  暗騒音
Ｓ２  工事騒音
Ｓ２ａ  舗装カッターの騒音
【図１】
2019139302.tif 000003
【図２】
2019139302.tif 000004
【図３】
2019139302.tif 000005
【図４】
2019139302.tif 000006
【図５】
2019139302.tif 000007